(57)【要約】【課題】幅や長さの違うＰＴＰ包装剤等に適合するＰＴＰカセット１０を実現する。【解決手段】立設位置左右方向可変用長穴２６，５６にて左側板ユニット２０も右基端前板支持ユニット６０も順次排出機構７０に対する左右方向の立設位置を変更可能にするとともに、支持位置左右方向可変用長穴３３，６３にて左側板ユニット２０も右基端前板支持ユニット６０も前板ユニット４０に対する左右方向の支持位置を変更可能にする。また、前板支持延伸部６２，３２，６２，３２を縦方向に交互配置する。更に、支持位置前後上下方向可変用穴２３，２４，５３，５４にて前板ユニット４０の前後方向の支持位置を変更可能にするとともに前板本体４１と内底部材２５，５５との角度θを鈍角にする。【選択図】        図１
2014135994.tif 000002
【特許請求の範囲】
【請求項１】
薬剤をシートに区分収納したＰＴＰ包装剤またはそれと等価なシート状包装剤であるＰＴＰ包装剤等を各々は横にしたうえで縦に積み重ねて整列収納させた状態で保持する整列収納部と、前記ＰＴＰ包装剤等のうち最下のものに前記整列収納部の内底で可動部材を接触させて前進させる順次排出機構とを備えていて、前記ＰＴＰ包装剤等を下から順に横送りして前記整列収納部の排出口から前方へ排出するＰＴＰカセットにおいて、前記整列収納部が、前記排出口の上方に位置する前板と、左右に分かれてそれぞれ前記順次排出機構に立設された左側板および右側板と、前記左側板から右方へ延びていて前記前板を支持する左基端前板支持部材と、前記右側板から左方へ延びていて前記前板を支持する右基端前板支持部材とを具備したものであり、前記左側板も前記右側板も前記順次排出機構に対する左右方向の立設位置を変更しうるようになっており、前記左基端前板支持部材も前記右基端前板支持部材も前記前板に対する左右方向の支持位置を変更しうるようになっていることを特徴とするＰＴＰカセット。
【請求項２】
前記左側板がその下端部から右方へ延びて前記内底の左側部分を成す左内底部材を具備したものであり、前記右側板がその下端部から左方へ延びて前記内底の右側部分を成す右内底部材を具備したものであり、前記左内底部材が前記順次排出機構に対する前記左側板の立設位置変更を前記順次排出機構の左端の左右に及ぶ範囲まで可能とするものであり、前記右内底部材が前記順次排出機構に対する前記右側板の立設位置変更を前記順次排出機構の右端の左右に及ぶ範囲まで可能とするものであり、前記左基端前板支持部材と前記右基端前板支持部材とが前記前板の前面に沿って縦方向に交互配置されていることを特徴とする請求項１記載のＰＴＰカセット。
【請求項３】
前記左側板に対する前記左基端前板支持部材の左基端取付位置も、前記右側板に対する前記右基端前板支持部材の右基端取付位置も、前後方向に変更しうるようになっていることを特徴とする請求項１又は請求項２に記載されたＰＴＰカセット。
【請求項４】
前記前板が鉛直面から前方へ傾斜して前記前板と前記内底との角度が鈍角になっていることを特徴とする請求項１乃至請求項３の何れかに記載されたＰＴＰカセット。
【発明の詳細な説明】
【技術分野】
【０００１】
この発明は、幾つかの薬剤を一枚のシートに区分収納したＰＴＰ包装剤またはそれと等価なシート状包装剤であるＰＴＰ包装剤等を整列収納して順次排出するＰＴＰカセットに関し、詳しくは、ＰＴＰ包装剤等を積み重ねて多数保持するとともに下から順に長手方向へ横送りして排出するＰＴＰカセットに関する。なお、ＰＴＰ包装剤と等価なシート状包装剤の典型例としてはブリスタ包装剤が挙げられる。
【背景技術】
【０００２】
片面が平坦で他面に薬剤を閉じ込めたポケット（区分収納用の突起部）が縦横に並んで形成されているＰＴＰ包装剤等を対象として、それぞれを横向きの姿勢にしたうえで積み重ねて多数保持するとともに下から順に長手方向へ横送りして順次排出するようになったＰＴＰカセットが、幾つか開発されている（例えば特許文献１〜１２参照）。
何れのＰＴＰカセットも、収納空間を画する箱状の整列収納部と、その下に設けられた順次排出機構とを備えており、そのうち整列収納部は、ＰＴＰ包装剤等を各々は横にしたうえで収納空間の内底の部材の上に載せて縦に積み重ねて整列収納させた状態で保持するようになっており、順次排出機構は、整列収納部に保持されているＰＴＰ包装剤等を下から順に横送りして前方へ排出するようになっている。
【０００３】
整列収納部は、何れのカセットでも構成が似ており、整列状態維持のため内底の上の収納空間が前板と両側板で囲まれているが、ＰＴＰ包装剤等の補充のため、上面が解放されている。また、補充作業容易化のため後背面まで解放されたり、整列状態安定化のため収納空間の内底部材が少し前下がりに傾けられたりしている。さらに、横送り排出のため、前板のうち内底の前端のところが切り欠かれて、排出口が形成されており、排出確認のため排出口の下方や上方には排出センサが置かれている。前板については、ＰＴＰ包装剤等の送り方向を定める内底部材が水平であろうと傾斜していようと前板が鉛直になっているものもあれば、前板が内底部材に対して直角・垂直になっているものもある（特許文献７参照）。また、前板には、排出口の上部に位置して排出口の開度を加減する調整部材が付設されており、調整部材には、髭状の可撓性留具や単純な板状体が採用されているが、調整部材と内底部材とが直角のものもあれば鈍角のものもある（特許文献７参照）。
【０００４】
順次排出機構は、整列収納部に保持されているＰＴＰ包装剤等のうち最下のものに接触作用する可動部材と、この可動部材を運動させて最下のＰＴＰ包装剤等を前送りさせることにより排出口から前方へ放出させる駆動機構とを備えている点は、何れのカセットにも共通しているが、可動部材がＰＴＰ包装剤の後端に当接作用する引掛部材や押出部材であって駆動機構がその可動部材を内底部材に沿って前送りする機構になっている後端当接タイプと（特許文献１〜７，１２参照）、平坦面を上にし突起部形成面を下にして縦に積み重ねられたＰＴＰ包装剤の突起部に可動部材が当接作用して最下のＰＴＰ包装剤を前送りする突起部当接タイプと（特許文献８〜１０参照）、平坦面を下にして縦に積み重ねられたＰＴＰ包装剤等の平坦面に可動部材としての回転輪が摩擦作用することで最下のＰＴＰ包装剤を前送りする平坦面摩擦タイプとがある（特許文献１１参照）。
【０００５】
また、それらと同じくＰＴＰ包装剤等の整列収納と逐次排出を行うが、構造も収納排出態様も異なるカセットとして、ＰＴＰ包装剤等の整列維持と整列前進と順次排出とを振動にて行うようになった振動排出カセットも実用に供されている（例えば特許文献１３参照）。この振動排出カセットは、ＰＴＰ包装剤等を整列収納する外板と、その解放前面の上部で先頭薬剤の上端部と干渉して収納薬剤の前倒を止める上枠と、前記収納薬剤を載せて振動時には前進させる内板と、この内板を振動させる振動部材とを備えたものであり、ＰＴＰ包装剤等を外板内の薬剤収納空間に入れて振動部材の上に立てて並べ、その収納薬剤の先頭のものを上枠に立て掛けると、多数の薬剤が倒れずに整列収納される。
【０００６】
そして、振動部材で内板を振動させると、振動によって一つずつ順次排出されるようになっている。さらに、この振動排出カセットは、幅や長さの大きく違うＰＴＰ包装剤等に適合させるために、取付穴にて上枠の設置高さが可変され、軸回転にて上枠のＰＴＰ包装剤等の当接面の傾きが可変され、外板のうち右側板には右幅寄部材が装着され、外板のうち左側板には左幅寄部材が装着されるようにもなっている。
【先行技術文献】
【特許文献】
【０００７】
【特許文献１】特開２００９−１３１５６０号公報
【特許文献２】特開２００９−１６５６７５号公報
【特許文献３】特開２００９−２９７４６６号公報
【特許文献４】特開２０１１−１７２６７５号公報
【特許文献５】特開２０１１−１７２６７７号公報
【特許文献６】特開２０１２−０５５３６５号公報
【特許文献７】特開２０１２−０６５９３０号公報
【特許文献８】特開２０１２−０６５９３１号公報
【特許文献９】特開２０１２−０７５７５４号公報
【特許文献１０】特開２０１２−１００７２４号公報
【特許文献１１】特開２０１２−１４７８１３号公報
【特許文献１２】特開２０１２−１８７２６４号公報
【特許文献１３】特開２００８−１６８０８２号公報
【発明の概要】
【発明が解決しようとする課題】
【０００８】
このように、ＰＴＰ包装剤等を前後に並べて前から順に排出する振動排出カセットでは、幅や長さの大きく違うＰＴＰ包装剤等に適合させるための工夫も施されていたが、ＰＴＰ包装剤等を積み重ね収納して下から横送り排出するＰＴＰカセットでは、未だ、そのようにはなっておらず、多少の融通や微調整はできても、同じＰＴＰカセットを簡便かつ大幅に調整して広範なサイズのＰＴＰ包装剤等に適合させることはできなかった。このため、ＰＴＰ払出装置に多数のＰＴＰカセットを縦横に並べて種々のサイズのＰＴＰ包装剤等を収容するには、各種サイズのＰＴＰカセットを用意しておく必要があり、初期導入時ばかりか、導入後のＰＴＰ包装剤等の追加変更時などにも、コストが嵩みがちである。
【０００９】
また、整列収納部の整列収納空間にＰＴＰ包装剤等を補充する作業は、整列収納空間を挟んで対峙している両側板の間にＰＴＰ包装剤等を整列させて積み重ねていく整列収納行為であるため、能率向上が難しい。特に、ＰＴＰ包装剤等の長さが整列収納空間の長さよりも短いと、ＰＴＰ包装剤の補充作業時に両側板が邪魔になる。
そのため、ＰＴＰ包装剤等を積み重ね収納して下から横送り排出するＰＴＰカセットにも、振動排出カセットと同様、幅や長さの大きく違うＰＴＰ包装剤等に適合させるための改良が求められる。
【００１０】
しかしながら、上述したようにＰＴＰ包装剤等を積み重ね収納して下から横送り排出するＰＴＰカセットは、構造も収納排出態様も振動排出カセットと異なるため、振動排出カセットの改良手法をそのまま踏襲する訳にはいかない。
そこで、簡便かつ大幅な調整機能を独自の構造で具体化することにより、幅や長さの違うＰＴＰ包装剤等に適合するＰＴＰカセットを実現することが技術的な課題となる。
【課題を解決するための手段】
【００１１】
本発明のＰＴＰカセットは（解決手段１）、このような課題を解決するために創案されたものであり、薬剤をシートに区分収納したＰＴＰ包装剤またはそれと等価なシート状包装剤であるＰＴＰ包装剤等を各々は横にしたうえで縦に積み重ねて整列収納させた状態で保持する整列収納部と、前記ＰＴＰ包装剤等のうち最下のものに前記整列収納部の内底で可動部材を接触させて前進させる順次排出機構とを備えていて、前記ＰＴＰ包装剤等を下から順に横送りして前記整列収納部の排出口から前方へ排出するＰＴＰカセットにおいて、前記整列収納部が、前記排出口の上方に位置する前板と、左右に分かれてそれぞれ前記順次排出機構に立設された左側板および右側板と、前記左側板から右方へ延びていて前記前板を支持する左基端前板支持部材と、前記右側板から左方へ延びていて前記前板を支持する右基端前板支持部材とを具備したものであり、前記左側板も前記右側板も前記順次排出機構に対する左右方向の立設位置を変更しうるようになっており、前記左基端前板支持部材も前記右基端前板支持部材も前記前板に対する左右方向の支持位置を変更しうるようになっていることを特徴とする。
【００１２】
また、本発明のＰＴＰカセットは（解決手段２）、上記解決手段１のＰＴＰカセットであって、前記左側板がその下端部から右方へ延びて前記内底の左側部分を成す左内底部材を具備したものであり、前記右側板がその下端部から左方へ延びて前記内底の右側部分を成す右内底部材を具備したものであり、前記左内底部材が前記順次排出機構に対する前記左側板の立設位置変更を前記順次排出機構の左端の左右に及ぶ範囲まで可能とするものであり、前記右内底部材が前記順次排出機構に対する前記右側板の立設位置変更を前記順次排出機構の右端の左右に及ぶ範囲まで可能とするものであり、前記左基端前板支持部材と前記右基端前板支持部材とが前記前板の前面に沿って縦方向に交互配置されていることを特徴とする。
【００１３】
さらに、本発明のＰＴＰカセットは（解決手段３）、上記解決手段１，２のＰＴＰカセットであって、前記左側板に対する前記左基端前板支持部材の左基端取付位置も、前記右側板に対する前記右基端前板支持部材の右基端取付位置も、前後方向に変更しうるようになっていることを特徴とする。
【００１４】
また、本発明のＰＴＰカセットは（解決手段４）、上記解決手段１〜３のＰＴＰカセットであって、前記前板が鉛直面から前方へ傾斜して前記前板と前記内底との角度が鈍角になっていることを特徴とする。
【発明の効果】
【００１５】
このような本発明のＰＴＰカセットにあっては（解決手段１）、整列収納部において整列収納空間の左右端面を画する左右の両側板である左側板と右側板が順次排出機構に立設されており、しかも、その立設位置が変更可能になっているので、両側板の位置変更にて容易に整列収納空間の横幅をＰＴＰ包装剤等の横幅に適合させることができる。
また、整列収納空間の前端面を画するとともに排出口の高さを規定する前板が、両側板から中央へ延びた左右の両前板支持部材である左基端前板支持部材と右基端前板支持部材によって、排出口の上方に保持されており、しかも、両前板支持部材による前板に対する左右方向の支持位置も変更可能になっているので、その支持位置を上述の両側板の立設位置変更時に変更可能状態にしておくことにより、整列収納空間の横幅適合に随伴して排出口の横幅までＰＴＰ包装剤等の横幅に適合することとなる。
したがって、この発明によれば、幅の違う各種のＰＴＰ包装剤等に対して整列収納空間と排出口の横幅を簡便に適合させられるＰＴＰカセットを実現することができる。
【００１６】
また、本発明のＰＴＰカセットにあっては（解決手段２）、内底部材を左右に分割して左内底部材を左側板と一体化するとともに右内底部材を右側板と一体化したうえで、両内底部材によって両側板の立設位置変更が順次排出機構の両端の左右に及ぶようにしたことにより、整列収納空間の横幅が順次排出機構の横幅より狭い状態はもちろんのこと広い状態にまで大幅に可変調整しうるものとなる。しかも、左基端前板支持部材も右基端前板支持部材も両前板支持部材の交互配置によって相互干渉無しで延伸可能になっているため、整列収納空間の横幅調整に随伴する排出口の横幅調整も大幅に拡張することができる。
したがって、この発明によれば、幅の大きく違う各種のＰＴＰ包装剤等に対して整列収納空間と排出口の横幅を簡便に適合させられるＰＴＰカセットを実現することができる。
【００１７】
さらに、本発明のＰＴＰカセットにあっては（解決手段３）、両前板支持部材の取付位置を前後方向に変更できるようにしたことにより、前板の前後位置の可変調整が容易に行える。そのため、整列収納空間に入れられて整列収納部の前板に前端を当接させたＰＴＰ包装剤等の後端が整列収納部の両側板の後端の近くに来るように前板の位置を調整しておくことが簡便にでき、そうすることで、ＰＴＰ包装剤等の長さの長短に拘わらず両側板が邪魔になることなく楽にＰＴＰ包装剤等をＰＴＰカセットに補充することができる。
したがって、この発明によれば、幅や長さの違うＰＴＰ包装剤等に適合するＰＴＰカセットを実現することができる。
【００１８】
また、本発明のＰＴＰカセットにあっては（解決手段４）、前板と内底との角度が鈍角になるところまで前板を傾斜させたことにより、ＰＴＰ包装剤等を整列収納部の整列収納空間に積み上げるときに傾斜前板に寄りかからせるだけで容易に崩れるのを防止することができるうえ、逐次排出時には、最下のＰＴＰ包装剤等の排出時にそれに摩擦等で引きずられて二番目以降のＰＴＰ包装剤等も前進しようとしたときの前進力が、前板によって上斜め向きの力に変換されて排出口から離れる方向へ誘導するので、二番目以降のＰＴＰ包装剤等が排出口へ引きずり込まれるという不所望な事態の発生が未然に防止される。
【図面の簡単な説明】
【００１９】
【図１】本発明の実施例１について、ＰＴＰカセットの構造を示す展開斜視図である。
【図２】（ａ）が平面図、（ｂ）が左側板を外した状態の左側面図、（ｃ）が背面図、（ｄ）が正面図である。
【図３】（ａ）が平面図、（ｂ）が左側板を外した状態の左側面図、（ｃ）が背面図、（ｄ）が正面図である。
【図４】（ａ）が平面図、（ｂ）が左側板を外した状態の左側面図、（ｃ）が背面図、（ｄ）が正面図である。
【図５】（ａ）が平面図、（ｂ）が左側板を外した状態の左側面図、（ｃ）が背面図、（ｄ）が正面図である。
【発明を実施するための形態】
【００２０】
このような本発明のＰＴＰカセットについて、これを実施するための具体的な形態を、以下の実施例１により説明する。
図１〜５に示した実施例１は、上述した解決手段１〜４（出願当初の請求項１〜４）を総て具現化したものである。
なお、それらの図示に際しては、簡明化等のため、電動モータ等の駆動源や，タイミングベルト等の伝動部材，モータドライバ等の電気回路，コントローラ等の電子回路などは図示を割愛し、発明の説明に必要なものや関連するものを中心に図示した。
【実施例１】
【００２１】
本発明のＰＴＰカセットの実施例１について、その具体的な構成を、図面を引用して説明する。図１は、ＰＴＰカセット１０の構造を示す展開斜視図である。また、図２，図３は、何れも、（ａ）が平面図、（ｂ）が左側板ユニット２０を外した状態の左側面図、（ｃ）が背面図、（ｄ）が正面図であり、図２は整列収納空間を最大に広げた状態を示し、図３は整列収納空間を最小に縮めた状態を示している。
【００２２】
このＰＴＰカセット１０は（図１〜図３参照）、多数のＰＴＰ包装剤をそれぞれは横にして縦に積み重ねて整列収納するとともに最下のＰＴＰ包装剤から前方へ順次排出するために、ＰＴＰ包装剤の整列収納空間を囲う上部の整列収納部２０〜６０と、最下のＰＴＰ包装剤を前送りする下部の順次排出機構７０とを具備している。
整列収納部２０〜６０は、整列収納空間の左側を画する左側板ユニット２０と、整列収納空間の前側を画する前板ユニット４０と、この前板ユニット４０を左右から支持する左基端前板支持ユニット３０及び右基端前板支持ユニット６０と、整列収納空間の右側を画する右側板ユニット５０とを具備している。
【００２３】
左側板ユニット２０と右側板ユニット５０は、何れも順次排出機構７０の上面に立設されるが、立設位置が左右に分かれるので、両者の間隙にて整列収納空間の横幅が決まるようになっている。左側板ユニット２０も右側板ユニット５０も順次排出機構７０に対する立設位置がネジ止めのやり直しで左右方向に変更できるので、整列収納空間は横幅を最大横幅Ｗｘ（図２（ａ）参照）から最小横幅Ｗｎ（図３（ａ）参照）の間で連続的に調節しうるものである。また、前板ユニット４０の支持位置もネジ止め穴の選択で前後方向に変更できるので、整列収納空間は前後の長さを最大長Ｌｘ（図２（ｂ）参照）から最小長Ｌｎ（図３（ｂ）参照）の間で段階的に調節しうるものである。さらに、（図１〜図３参照）、整列収納空間の内底は、左側板ユニット２０の下端部の左内底部材２５と右側板ユニット５０の下端部の右内底部材５５と順次排出機構７０の順次排出機構筐体７１の上面の一部とで画されるが、上面と背面がＰＴＰ包装剤を入れるために解放されている。
【００２４】
順次排出機構７０は、整列収納空間に積み上げられたＰＴＰ包装剤のうち最下のＰＴＰ包装剤に左右の内底部材２５，５５の間隙の所で可動部材７４を接触させて前進させることで、最下のＰＴＰ包装剤を前板ユニット４０の下方の排出口４７から前方へ送り出すことができるものであり、具体的には、既述した従来の後端当接タイプでも突起部当接タイプでも平坦面摩擦タイプでも或いは他のタイプでも良いので、図では、上面にネジ穴７２，７３の形成された順次排出機構筐体７１と、その上面中央の溝内を後方から前方へ走行する鈎爪状の可動部材７４と、付設の排出センサ７５とを簡略表示し、内蔵の又は外付けの電動モータや制御用コントローラなど細部の説明は割愛する。
【００２５】
左側板ユニット２０は、縦置き平板状体からなる左側板本体２１と、横置き平板状体からなる左内底部材２５と、立設位置左右方向固定用ネジ２７，２７とを具備したものであり、左側板本体２１と左内底部材２５は、一枚の板体を折り曲げ加工したものでも別部材を連結したものでも良いが、左内底部材２５が左側板本体２１の下端部から右方へ延びて整列収納空間の内底の左側部分を成すものとなっている。左内底部材２５には前側にも後側にも左右に長い立設位置左右方向可変用長穴２６，２６が形成されており、これらの長穴２６，２６に挿通させた立設位置左右方向固定用ネジ２７，２７を順次排出機構筐体７１のネジ穴７２，７２に螺合させることで、左側板ユニット２０が順次排出機構７０に対して立設されるとともに、その左右方向の立設位置が変更可能なものとなる。
【００２６】
しかも、左内底部材２５の立設位置左右方向可変用長穴２６の長さが、整列収納空間の横幅を順次排出機構７０より狭めることも広げることも可能なように、十分長くなっている。これにより、順次排出機構７０に対する左側板ユニット２０の立設位置が、より具体的には順次排出機構筐体７１の左端に対する左側板本体２１の左右方向位置が、順次排出機構筐体７１の左端の左右に及ぶ範囲内で連続的に変更しうるようになっている。
また、左側板本体２１には、次に詳述する左基端前板支持ユニット３０の左側の基端を上下２カ所で取り付けるための支持位置前後上下方向可変用穴２３，２４が形成されているが、上側の支持位置前後上下方向可変用穴２３も、下側の支持位置前後上下方向可変用穴２４も、左側板ユニット２０に対する左基端前板支持ユニット３０の取付位置を前後方向ばかりか上下方向にも段階的に変更可能とするために、図示の例では前後に５カ所かつ上下に３カ所の計１５カ所に、多数列設されている。
【００２７】
左基端前板支持ユニット３０は、左側板本体２１の右面に取り付けられる前板支持基端部３１と、前板支持基端部３１から右方へ延びている上下２本の前板支持延伸部３２，３２と、支持位置前後上下方向可変用穴２３，２４に螺合して前板支持基端部３１を左側板本体２１に固定する支持位置前後方向固定用ネジ３５，３５と、前板ユニット４０を取り付けるための支持位置左右方向固定用ネジ３４，３４とを具備している。前板支持延伸部３２には左右に長い支持位置左右方向可変用長穴３３が形成されており、この長穴３３に挿通させた支持位置左右方向固定用ネジ３４を後述の前板ユニット４０のネジ穴４３に螺合させることで、前板ユニット４０が左基端前板支持ユニット３０ひいては左側板ユニット２０によって順次排出機構７０の上方に支持されるとともに、その左右方向の支持位置が変更可能なものとなる。支持位置左右方向可変用長穴３３の長さは、上述の立設位置左右方向可変用長穴２６の機能維持のため、それと同じかそれより長くなっている。
【００２８】
右側板ユニット５０は、縦置き平板状体からなる右側板本体５１と、横置き平板状体からなる右内底部材５５と、立設位置左右方向固定用ネジ５７，５７とを具備したものであり、右側板本体５１と右内底部材５５は、一枚の板体を折り曲げ加工したものでも別部材を連結したものでも良いが、右内底部材５５が右側板本体５１の下端部から左方へ延びて整列収納空間の内底の右側部分を成すものとなっている。右内底部材５５には前側にも後側にも左右に長い立設位置左右方向可変用長穴５６，５６が形成されており、これらの長穴５６，５６に挿通させた立設位置左右方向固定用ネジ５７，５７を順次排出機構筐体７１のネジ穴７３，７３に螺合させることで、右側板ユニット５０が順次排出機構７０に対して立設されるとともに、その左右方向の立設位置が変更可能なものとなる。
【００２９】
しかも、右内底部材５５の立設位置左右方向可変用長穴５６の長さが、整列収納空間の横幅を順次排出機構７０より狭めることも広げることも可能なように、十分長くなっている。これにより、順次排出機構７０に対する右側板ユニット５０の立設位置が、より具体的には順次排出機構筐体７１の右端に対する右側板本体５１の左右方向位置が、順次排出機構筐体７１の右端の左右に及ぶ範囲内で連続的に変更しうるようになっている。
また、右側板本体５１には、次に詳述する右基端前板支持ユニット６０の右側の基端を上下２カ所で取り付けるための支持位置前後上下方向可変用穴５３，５４が形成されているが、上側の支持位置前後上下方向可変用穴５３も、下側の支持位置前後上下方向可変用穴５４も、右側板ユニット５０に対する右基端前板支持ユニット６０の取付位置を前後方向ばかりか上下方向にも段階的に変更可能とするために、図示の例では前後に５カ所かつ上下に３カ所の計１５カ所に、多数列設されている。
【００３０】
右基端前板支持ユニット６０は、右側板本体５１の左面に取り付けられる前板支持基端部６１と、前板支持基端部６１から左方へ延びている上下２本の前板支持延伸部６２，６２と、支持位置前後上下方向可変用穴５３，５４に螺合して前板支持基端部６１を右側板本体５１に固定する支持位置前後方向固定用ネジ６５，６５と、前板ユニット４０を取り付けるための支持位置左右方向固定用ネジ６４，６４とを具備している。前板支持延伸部６２には左右に長い支持位置左右方向可変用長穴６３が形成されており、この長穴６３に挿通させた支持位置左右方向固定用ネジ６４を後述の前板ユニット４０のネジ穴４４に螺合させることで、前板ユニット４０が右基端前板支持ユニット６０ひいては右側板ユニット５０によって順次排出機構７０の上方に支持されるとともに、その左右方向の支持位置が変更可能なものとなる。支持位置左右方向可変用長穴６３の長さは、上述の立設位置左右方向可変用長穴５６の機能維持のため、それと同じかそれより長くなっている。
【００３１】
前板ユニット４０は、整列収納空間に積み上げられた多数のＰＴＰ包装剤を最下のもの以外は前端当接にて整列収納空間内にとどまらせるための前板本体４１と、前板本体４１を排出口４７の上方に支持するのを当接用の後面に影響なく前方からネジ止めにて行えるよう前板本体４１の前面に付設された前板前面肉厚部４２と、排出中のＰＴＰ包装剤の跳ね上がりを防止するために前板本体４１の下端部を前方へ折り曲げた排出ガイド４６の所で前板本体４１に上下位置調整可能な状態で装着されて排出口４７の開度を加減する調整部材としての可撓性留具４５とを具備している。
【００３２】
前板前面肉厚部４２には、前板ユニット４０を左基端前板支持ユニット３０にて支持する際に支持位置左右方向固定用ネジ３４，３４を螺合させるネジ穴４３，４３と、前板ユニット４０を右基端前板支持ユニット６０にて支持する際に支持位置左右方向固定用ネジ６４，６４を螺合させるネジ穴４４，４４とが、形成されているが、それらのネジ穴４３，４４，４３，４４の高さ位置がそれぞれ左右の側板ユニット２０，５０における支持位置前後上下方向可変用穴５３，２３，５４，２４の高さ位置に対応していて、それらの高低順に基づいて左基端前板支持ユニット３０の前板支持延伸部３２と右基端前板支持ユニット６０の前板支持延伸部６２とが前板ユニット４０の前面に沿って縦方向に交互配置されている（図２（ｄ），図３（ｄ）参照）。
【００３３】
また（図１参照）、最も高い位置に形成されている支持位置前後上下方向可変用穴５３よりも次に高い支持位置前後上下方向可変用穴２３は少し後方の位置に形成されており、その次に高い支持位置前後上下方向可変用穴５４はもう少し後方の位置に形成されており、最も低い支持位置前後上下方向可変用穴２４は更に後方の位置に形成されているため、前板ユニット４０の前板本体４１が鉛直面から前方へ傾斜したものとなっており、さらに、その前板本体４１の後面と、右側板ユニット５０の右内底部材５５及び左側板ユニット２０の左内底部材２５さらには順次排出機構筐体７１の上面とのなす角度θが、鈍角になっている（図２（ｂ），図３（ｂ）参照）。
【００３４】
この実施例１のＰＴＰカセット１０について、その使用態様及び動作を、図面を引用して説明する。図４，図５は、何れも、（ａ）が平面図、（ｂ）が左側板ユニット２０を外した状態の左側面図、（ｃ）が背面図、（ｄ）が正面図であり、図４は最大のＰＴＰ包装剤８２を整列収納した状態を示し、図５は最小のＰＴＰ包装剤８４を整列収納した状態を示している。
【００３５】
取扱対象のＰＴＰ包装剤８２，８４は、何れも、略長方形状のシート状包装剤の代表例であり、既述したように、幾つかの薬剤を一枚のシートに区分収納している。ＰＴＰ包装剤８２，８４の片面（図示の例では下面）には、薬剤収納用のポケット（中空突部）が縦横に並んで形成されており、他面（図示の例では上面）は、ポケット封止紙を貼られて平面になっている。横幅も長さもＰＴＰ包装剤８２の方がＰＴＰ包装剤８４より大きく、例えば、ＰＴＰ包装剤８２は、横幅が整列収納空間の最大横幅Ｗｘより少し短く、長さが整列収納空間の最大長Ｌｘより少し短い。これに対し、ＰＴＰ包装剤８４は、横幅が整列収納空間の最小横幅Ｗｎよりも短く、長さが整列収納空間の最小長Ｌｎよりも短い。
【００３６】
ＰＴＰ包装剤８２やＰＴＰ包装剤８４を整列収納して逐次排出するＰＴＰカセット１０を取扱量に応じてそれぞれ一つずつ又は複数個を採択したら、各ＰＴＰカセット１０について整列収納空間を該当ＰＴＰ包装剤のサイズに適合させる調整作業を行う。
その作業手順の一例を述べると、立設位置左右方向固定用ネジ２７，２７と支持位置左右方向固定用ネジ３４，３４を一時的に緩めて左側板ユニット２０の順次排出機構７０に対する立設位置を左右に変更するとともに、立設位置左右方向固定用ネジ５７，５７と支持位置左右方向固定用ネジ６４，６４を一時的に緩めて右側板ユニット５０の順次排出機構７０に対する立設位置を左右に変更することにより、整列収納空間と排出口４７の横幅を該当ＰＴＰ包装剤の横幅より少しだけ広くしておく。
【００３７】
また、支持位置前後方向固定用ネジ３５，３５，６５，６５を一時的に支持位置前後上下方向可変用穴２３，２４，５３，５４から抜いて前板ユニット４０の支持位置を前後および上下に変更することにより、整列収納空間の長さを該当ＰＴＰ包装剤の長さより少しだけ長くしておくとともに、排出口４７の高さを該当ＰＴＰ包装剤の厚みに近づけておき、それから可撓性留具４５の高さを微調整して排出口４７の高さも固定する。
このようにして整列収納空間を該当ＰＴＰ包装剤に適合させる調整作業は、前板ユニット４０の支持位置調整と右側板ユニット５０の立設位置調整と左側板ユニット２０の立設位置調整とを実施する順序に制約が無いので、気楽に作業することができる。
【００３８】
そして、大きなＰＴＰ包装剤８２を取り扱うＰＴＰカセット１０については整列収納空間の横幅を最大横幅Ｗｘに調整するとともに整列収納空間の長さを最大長Ｌｘに調整しておき（図２参照）、それから、そのＰＴＰカセット１０の整列収納空間にＰＴＰ包装剤８２を各々は横にしたうえで縦に積み重ねて整列収納させる（図４参照）。
また、小さなＰＴＰ包装剤８４を取り扱うＰＴＰカセット１０については整列収納空間の横幅を最小横幅Ｗｎに調整するとともに整列収納空間の長さを最小長Ｌｎに調整しておき（図３参照）、それから、そのＰＴＰカセット１０の整列収納空間にＰＴＰ包装剤８４をやはり各々は横にしたうえで縦に積み重ねて整列収納させる（図５参照）。
【００３９】
その際、ＰＴＰ包装剤８２又はＰＴＰ包装剤８４をＰＴＰカセット１０の後上方の解放部から左側板本体２１と右側板本体５１との間に落としながら前へ押し込むようにして積み上げ、積み上げ途中や積み上げ後の適宜なタイミングで収納済みＰＴＰ包装剤の後端を軽く押してＰＴＰ包装剤の前端を前板本体４１に当接させると、整列状態が安定するが、整列収納対象・補充対象がＰＴＰ包装剤８２であれＰＴＰ包装剤８４であれ（図４，図５参照）、上層部のＰＴＰ包装剤については、後端部が左右の側板ユニット２０，５０の切欠２２，５２の間に来ていて、後方と上方に加えて左右まで解放されているので、整列収納作業が遣りやすい。
【００４０】
こうして、ＰＴＰカセット１０にＰＴＰ包装剤が整列収納されるとともに、そのＰＴＰカセット１０が単独型であれば電源が投入されると、またＰＴＰカセット１０が組込型であれば図示しないＰＴＰ払出装置の前下がり棚の上にセットされると、ＰＴＰ包装剤の逐次排出の準備が整う。そして、そのＰＴＰカセット１０に図示しない内蔵の或いは上位の制御装置の自動制御や調剤者の手動操作にて排出指示が出ると、それに応じて順次排出機構７０が順次排出動作を行い、最下のＰＴＰ包装剤が左右の内底部材２５，５５の上面に沿って横送りされて排出口４７から前方へ排出される。
【００４１】
このときも、そして最下のＰＴＰ包装剤が抜けて二番目以降のＰＴＰ包装剤が内底部材２５，５５の上へ落下するときも、ＰＴＰ包装剤は、何れも、左右の側板本体２１，５１によって横ずれを規制されるので、整列収納状態を安定維持する。
また、最下のＰＴＰ包装剤が排出口４７を通過するときに、二番目以降のＰＴＰ包装剤が例え最下のＰＴＰ包装剤に引きずられかけたとしても、前板本体４１と内底部材２５，５５との角度θが鈍角になっているため、二番目以降のＰＴＰ包装剤は、前板本体４１や可撓性留具４５に乗り上げるような向きに進もうとして、排出口４７から上方へ離れるので、最下のＰＴＰ包装剤と一緒に他のＰＴＰ包装剤も排出口４７から排出されてしまうという不所望な二枚出しが的確に防止される。
【００４２】
［その他］
上記実施例では、排出センサ７５として順次排出機構７０の前端に設けられた反射式フォトセンサを図示したが、排出センサ７５は、設置箇所が排出経路の下に限られるもので無く、排出経路の上方に設けたものでも良く、排出経路を上下から挟んで透過光の遮断にて排出を検出するものでも良い。
上記実施例では、ＰＴＰカセット１０の内底が水平になっていたが、単体で前下がり傾斜していても良く、ＰＴＰ払出装置に搭載されて前下がり傾斜するようにしても良い。
【産業上の利用可能性】
【００４３】
本発明のＰＴＰカセットは、上述したようにＰＴＰ払出装置に一つ又は複数組み込んで使用される他、単体で使用することもできる。
【符号の説明】
【００４４】
１０…ＰＴＰカセット、
２０〜６０…整列収納部、
２０…左側板ユニット、２１…左側板本体、
２２…切欠、２３，２４…支持位置前後上下方向可変用穴、２５…左内底部材、
２６…立設位置左右方向可変用長穴、２７…立設位置左右方向固定用ネジ、
３０…左基端前板支持ユニット、
３１…前板支持基端部、３２…前板支持延伸部、３３…支持位置左右方向可変用長穴、
３４…支持位置左右方向固定用ネジ、３５…支持位置前後方向固定用ネジ、
４０…前板ユニット、
４１…前板本体、４２…前板前面肉厚部、４３，
４４…ネジ穴、４５…可撓性留具、４６…排出ガイド、４７…排出口、
５０…右側板ユニット、５１…右側板本体、
５２…切欠、５３，５４…支持位置前後上下方向可変用穴、５５…右内底部材、
５６…立設位置左右方向可変用長穴、５７…立設位置左右方向固定用ネジ、
６０…右基端前板支持ユニット、
６１…前板支持基端部、６２…前板支持延伸部、６３…支持位置左右方向可変用長穴、
６４…支持位置左右方向固定用ネジ、６５…支持位置前後方向固定用ネジ、
７０…順次排出機構、
７１…順次排出機構筐体、７２，７３…ネジ穴、７４…可動部材、７５…排出センサ、
８２，８４…ＰＴＰ包装剤
【図１】
2014135994.tif 000003
【図２】
2014135994.tif 000004
【図３】
2014135994.tif 000005
【図４】
2014135994.tif 000006
【図５】
2014135994.tif 000007